(57)【要約】      （修正有）【課題】端末装置を出来る限りインターネットなどのコンピュータ通信網と接続可能とすることが難しい事を解決する管理装置、指示方法、プログラム、端末装置を提供する。【解決手段】管理装置２は、端末装置４との通信の確立を指示する指示情報を中継装置３に対して送信する指示部を有する。指示部は、指示する中継装置の端末装置の推定位置からの離れ具合に応じた指示情報を送信する。【選択図】図１２
2020088463.tif 000002
【特許請求の範囲】
【請求項１】
端末装置との通信の確立を指示する指示情報を中継装置に対して送信する指示部を有し、
前記指示部は、指示する前記中継装置の前記端末装置の推定位置からの離れ具合に応じた前記指示情報を送信する
管理装置。
【請求項２】
請求項１に記載の管理装置であって、
前記指示部は、前記端末装置の推定位置から予め定められた所定の範囲の外側に位置する前記中継装置に対して指示する場合、前記端末装置の探索を促す所定の情報を含む前記指示情報を送信する
管理装置。
【請求項３】
請求項１または請求項２に記載の管理装置であって、
前記指示部は、前記端末装置の推定位置から予め定められた第１の範囲内に存在する前記中継装置に対して指示する場合、接続を指示する旨を示す接続指示を前記指示情報として前記中継装置に対して送信し、前記第１の範囲外であって予め定められた第２の範囲内に存在する前記中継装置に対して指示する場合、前記端末装置の探索を促す所定の情報を含む探索指示を前記指示情報として前記中継装置に対して送信する
管理装置。
【請求項４】
請求項２または請求項３に記載の管理装置であって、
前記端末装置と通信を確立することにより得られる情報は、前記中継装置の持ち主の属性に応じた、前記端末装置の探索を促す情報である
管理装置。
【請求項５】
請求項１から請求項４までのいずれか１項に記載の管理装置であって、
前記中継装置の位置を示す位置情報と、前記端末装置の推定位置と、に基づいて、指示する前記中継装置を選択する選択部を有し、
前記指示部は、前記選択部が選択した前記中継装置に対して前記指示情報を送信する
管理装置。
【請求項６】
請求項５に記載の管理装置であって、
前記選択部は、前記端末装置の推定位置から予め定められた第１の範囲内に前記中継装置が存在する場合、当該第１の範囲内に存在する前記中継装置を指示する前記中継装置として選択し、前記第１の範囲内に前記中継装置が存在しない場合、前記第１の範囲外であって予め定められた第２の範囲内に存在する前記中継装置を指示する前記中継装置として選択する
管理装置。
【請求項７】
請求項１から請求項６までのいずれか１項に記載の管理装置であって、
前記指示部は、前記中継装置から前記端末装置との間の通信が切断した旨を示す情報を受信した場合に、前記指示情報を所定の前記中継装置に対して送信する
管理装置。
【請求項８】
請求項７に記載の管理装置であって、
前記端末装置との間の通信が切断した旨を示す情報には、前記中継装置の位置を示す位置情報が含まれており、
前記指示部は、前記端末装置の推定位置として、前記位置情報が示す位置を用いる
管理装置。
【請求項９】
請求項１から請求項８までのいずれか１項に記載の管理装置であって、
前記中継装置から受信した問い合わせに応じて、前記中継装置が通信を確立しようとしている前記端末装置と前記中継装置とが通信を確立する際に必要となる情報である接続情報を送信する送信部を有する
管理装置。
【請求項１０】
請求項９に記載の管理装置であって、
前記送信部は、前記端末装置が収集したデータの送信先である処理装置と通信を確立するための必要となる情報を前記接続情報に含めて前記中継装置に対して送信する
管理装置。
【請求項１１】
管理装置が、
予め定められた所定の条件を満たす場合、端末装置との通信の確立を指示し、指示する中継装置の前記端末装置の推定位置からの離れ具合に応じた情報である指示情報を、前記中継装置に対して送信する
管理方法。
【請求項１２】
管理装置に、
端末装置との通信の確立を指示する指示情報を中継装置に対して送信する指示部を実現させ、
前記指示部は、指示する前記中継装置の前記端末装置の推定位置からの離れ具合に応じた前記指示情報を送信する
プログラム。
【発明の詳細な説明】
【技術分野】
【０００１】
本発明は、管理装置、管理方法、プログラムに関する。
【背景技術】
【０００２】
データ収集端末などの端末装置をインターネットなどのコンピュータ通信網へ出来る限り常時接続するための技術が知られている。
【０００３】
例えば、特許文献１には、情報を処理する処理部と、外部機器との間で疎結合の近距離無線通信を行う通信部と、を有するウェアラブル機器が記載されている。特許文献１によると、通信部は、不特定多数の機器が接続可能なゲートウェイ機器に疎結合の近距離無線通信により通信接続され、ゲートウェイ機器を介してコンピュータ通信網に通信接続される。また、処理部は、ウェアラブル機器の情報を疎結合の近距離無線通信により送信することに基づいて取得した報知情報の報知処理を行う。
【先行技術文献】
【特許文献】
【０００４】
【特許文献１】特開２０１７−１３４０１１号公報
【発明の概要】
【発明が解決しようとする課題】
【０００５】
特許文献１に記載の技術の場合、ウェアラブル機器などの端末装置は、ゲートウェイ機器の近くに行かないとインターネットなどのコンピュータ通信網に接続できない。そのため、ゲートウェイ機器が壊れたなどの理由によりゲートウェイ機器が近くにない場合やゲートウェイ機器の場所が分からない場合などにおいて、コンピュータ通信網と接続できないおそれがあった。
【０００６】
このように、端末装置を出来る限りインターネットなどのコンピュータ通信網と接続可能とすることが難しい場合がある、という問題が生じていた。
【０００７】
そこで、本発明の目的は、端末装置を出来る限りインターネットなどのコンピュータ通信網と接続可能とすることが難しい場合がある、という課題を解決する管理装置、指示方法、プログラム、端末装置を提供することにある。
【課題を解決するための手段】
【０００８】
かかる目的を達成するため本発明の一形態である管理装置は、
端末装置との通信の確立を指示する指示情報を中継装置に対して送信する指示部を有し、
前記指示部は、指示する前記中継装置の前記端末装置の推定位置からの離れ具合に応じた前記指示情報を送信する
という構成をとる。
【０００９】
また、本発明の他の形態である管理方法は、
管理装置が、
予め定められた所定の条件を満たす場合、端末装置との通信の確立を指示し、指示する中継装置の前記端末装置の推定位置からの離れ具合に応じた情報である指示情報を、前記中継装置に対して送信する
という構成をとる。
【００１０】
また、本発明の他の形態であるプログラムは、
管理装置に、
端末装置との通信の確立を指示する指示情報を中継装置に対して送信する指示部を実現させ、
前記指示部は、指示する前記中継装置の前記端末装置の推定位置からの離れ具合に応じた前記指示情報を送信する
プログラムである。
【発明の効果】
【００１１】
本発明は、以上のように構成されることにより、端末装置を出来る限りインターネットなどのコンピュータ通信網と接続することが可能な、管理装置、管理方法、プログラムを提供することが可能となる。
【図面の簡単な説明】
【００１２】
【図１】本発明の第１の実施形態にかかる通信システムの構成の一例を示す図である。
【図２】図１で示す管理サーバの構成の一例を示すブロック図である。
【図３】図２で示す収集端末情報の一例を示す図である。
【図４】図２で示す中継装置情報の一例を示す図である。
【図５】図２で示す処理機器情報の一例を示す図である。
【図６】選択処理の一例を説明するための図である。
【図７】図１で示す中継装置の構成の一例を示すブロック図である。
【図８】図１で示す収集端末の構成の一例を示すブロック図である。
【図９】通信システムにおける処理の一例を説明するための図である。
【図１０】通信システムにおいてペアリングが切断された際の処理の一例を説明するための図である。
【図１１】本発明の第１の実施形態における通信システムの動作の一例を示すシーケンス図である。
【図１２】本発明の第１の実施形態における通信システムの動作の一例を示すシーケンス図である。
【図１３】本発明の第２の実施形態における管理装置の構成の一例を示すブロック図である。
【発明を実施するための形態】
【００１３】
［第１の実施形態］
本発明の第１の実施形態を図１から図１２までを参照して説明する。図１は、通信システム１の構成の一例を示す図である。図２は、管理サーバ２の構成の一例を示すブロック図である。図３は、収集端末情報２２１の一例を示す図である。図４は、中継装置情報２２２の一例を示す図である。図５は、処理機器情報２２３の一例を示す図である。図６は、候補選択処理の一例を説明するための図である。図７は、中継装置３の構成の一例を示すブロック図である。図８は、収集端末４の構成の一例を示すブロック図である。図９、図１０は、通信システムにおける処理の一例を説明するための図である。図１１、図１２は、通信システム１の動作の一例を示すシーケンス図である。
【００１４】
本発明の第１の実施形態では、Bluetooth（登録商標）などの近距離無線通信機能のみを有し携帯電話回線を用いた無線通信機能などを有さない収集端末４が収集したデータを、スマートフォンなどの中継装置３を介して、管理サーバ２へと送信する通信システム１について説明する。本実施形態において説明する通信システム１では、管理サーバ２は、収集端末４と中継装置３との接続をサポートする。後述するように、管理サーバ２は、例えば、位置情報を取得する手段を有さない収集端末４の位置を示す情報として、中継装置３の位置を示す情報を用いる。また、管理サーバ２は、収集端末４と中継装置３との間の通信が切断されると、想定される収集端末４の位置周辺の中継装置３に対して、収集端末４との通信を確立する旨の指示（指示情報）を送信する。
【００１５】
図１は、通信システム１全体の構成の一例を示している。図１を参照すると、通信システム１は、例えば、管理サーバ２と中継装置３と収集端末４とクラウド５とを有している。図１で示すように、中継装置３と収集端末４とは、Bluetoothなどの近距離無線通信機能を用いて互いに通信可能なよう接続することが出来る。また、中継装置３と管理サーバ２とは、4G、5Gなどの携帯電話回線を用いた無線通信機能などを活用することで、互いに通信可能なよう接続することが出来る。同様に、中継装置３とクラウド５とは、携帯電話回線を用いた無線通信機能などを活用することで、互いに通信可能なよう接続することが出来る。
【００１６】
なお、図１では、通信システム１の構成の概要を示しており、通信システム１の構成は図１で示す場合に限定されない。例えば、通信システム１は、複数の中継装置３や複数の収集端末４を含むことが出来る。また、通信システム１は、複数の管理サーバ２や複数のクラウド５を含んでも構わない。また、中継装置３と管理サーバ２との間の接続や中継装置３とクラウド５との間の接続は、例えば、Wi-Fiなどの他の無線通信機能により行っても構わない。
【００１７】
管理サーバ２は、通信システム１全体の管理を行う情報処理装置である。例えば、管理サーバ２は、中継装置３からの問い合わせに応じて、中継装置３が収集端末４やクラウド５と接続するために必要な情報を中継装置３に対して送信する。また、管理サーバ２は、必要に応じて、収集端末４との通信を確立するよう所定範囲内の中継装置３に対して指示する。
【００１８】
図２は、管理サーバ２の構成の一例を示している。図２を参照すると、管理サーバ２は、例えば、通信Ｉ／Ｆ部２１と、記憶部２２と、演算処理部２３とを含んでいる。管理サーバ２は、図２で示す構成の他に、キーボードやマウスなどの操作入力装置から構成される操作入力部や、ＬＣＤ（Ｌｉｑｕｉｄ  Ｃｒｙｓｔａｌ  Ｄｉｓｐｌａｙ）などの画面表示装置から構成される画面表示部など、一般的な情報処理装置が有する構成を備えても構わない。
【００１９】
通信Ｉ／Ｆ部２１は、データ通信回路から構成される。通信Ｉ／Ｆ部２１は、有線または無線を介して接続された図示しない外部装置などとの間でデータ通信を行う。例えば、通信Ｉ／Ｆ部２１は、有線や無線を介して接続された無線通信基地局を介して、中継装置３との間でデータ通信を行う。なお、無線通信基地局と中継装置３との間の通信は、例えば、携帯電話回線を用いた無線通信やＷｉ−Ｆｉなどにより行われる。
【００２０】
記憶部２２は、ハードディスクやメモリなどの記憶装置から構成される。記憶部２２は、演算処理部２３における各種処理に必要な処理情報およびプログラム２２４を記憶する。プログラム２２４は、演算処理部２３に読み込まれて実行されることにより各種処理部を実現する。プログラム２２４は、通信Ｉ／Ｆ部２１などのデータ入出力機能を介して図示しない外部装置や記憶媒体から予め読み込まれて記憶部２２に保存される。記憶部２２に記憶される主な処理情報には、例えば、収集端末情報２２１と、中継装置情報２２２と、処理機器情報２２３と、がある。
【００２１】
収集端末情報２２１は、収集端末４に関する情報である。収集端末情報２２１には、中継装置３が収集端末４と通信を確立する際に必要となる情報などが含まれている。図３は、収集端末情報２２１の一例を示している。図３を参照すると、収集端末情報２２１では、例えば、固有ＩＤと、近距離無線通信接続情報と、データ容量情報と、位置情報と、が対応づけられている。例えば、図３の一行目では、固有ＩＤ「ｘｘｘｘｘｘ」と、近距離無線通信接続情報「０１２３」と、データ容量情報「Ｙ  ＧＢ」と、位置情報「ｚｚｚｚｚｚｚｚ」と、が対応づけられている。
【００２２】
ここで、収集端末情報２２１中の固有ＩＤとは、収集端末４ごとに付与される収集端末４の識別子である。また、近距離無線通信接続情報は、対応付する固有ＩＤを有する収集端末４と通信を確立する際に必要となる情報である。近距離無線通信接続情報は、例えば、ＰＩＮコードなどの鍵情報である。また、データ容量情報は、例えば、収集端末４が有する記憶装置（後述する記憶部４４）の容量を示す情報である。データ容量情報は、収集端末４が既に使用している容量を示す情報などを含んでいても構わない。また、位置情報は、収集端末４の位置を示す情報である。位置情報は、例えば、緯度経度などを示している。
【００２３】
なお、後述するように、本実施形態における収集端末４は、自身の位置情報を取得する手段を有していない。そのため、収集端末情報２２１中の位置情報には、例えば、中継装置３の位置情報が格納される。これは、中継装置３と近距離無線通信中の収集端末４は、中継装置３の近傍に位置していると推定されるためである。つまり、本実施形態においては、中継装置３の位置を収集端末４の推定位置とする。なお、収集端末４がＧＰＳなどの位置を確認する機能を有する場合、収集端末４自身が確認した位置情報を収集端末情報２２１中の位置情報としても構わない。
【００２４】
また、図３で示す各種対応付けられた情報のうち、固有ＩＤと近距離無線通信接続情報とは、基本的に更新されない。一方、収集端末情報２２１に含まれる位置情報は、中継装置３から受信した情報に応じて随時更新される。
【００２５】
中継装置情報２２２は、中継装置３に関する情報である。中継装置情報２２２には、管理サーバ２が所定の指示を送る中継装置３を選択する際に必要となる情報などが含まれている。図４は、中継装置情報２２２の一例を示している。図４を参照すると、中継装置情報２２２では、例えば、固有ＩＤと、位置情報と、が対応づけられている。例えば、図４の一行目では、固有ＩＤ「ＸＸＸＸＸＸ」と、位置情報「ｘｙｚｘｙｚｘｚ」と、が対応づけられている。
【００２６】
ここで、中継装置情報２２２中の固有ＩＤとは、中継装置３ごとに付与される中継装置３の識別子である。また、位置情報は、中継装置３の位置を示す情報である。位置情報は、例えば、緯度経度などを示している。位置情報は、中継装置３から受信した情報に応じて随時更新される。
【００２７】
処理機器情報２２３は、処理機器であるクラウド５に関する情報である。処理機器情報２２３には、中継装置３がクラウド５と通信を確立する際に必要となる情報などが含まれている。図５は、処理機器情報２２３の一例を示している。図５を参照すると、処理機器情報２２３では、例えば、固有ＩＤと、ＩＰアドレスと、認証情報と、が対応づけられている。例えば、図５の一行目では、固有ＩＤ「ａａａａａａ」と、ＩＰアドレス「ｂｂｂ．ｂ．ｂ．ｂ」と、認証情報「ＡＢＣＤＥＦ」と、が対応づけられている。
【００２８】
ここで、処理機器情報２２３中の固有ＩＤとは、処理機器であるクラウド５ごとに付与されるクラウド５の識別子である。また、ＩＰアドレスは、処理機器であるクラウド５のＩＰアドレスである。また、認証情報は、クラウド５と通信を確立する際に必要となる鍵情報などの情報である。
【００２９】
以上が、記憶部２２が記憶する情報の一例である。なお、記憶部２２が記憶する収集端末情報２２１、中継装置情報２２２、処理機器情報２２３には、上述した例以外の情報を含めても構わない。
【００３０】
例えば、収集端末情報２２１には、収集端末４が収集するデータがたまる速度を示す情報や、ペアリングを切断してからの経過時間を示す情報、前回ペアリングを行った時間（データをクラウド５へと送信した時間）を示す情報などを含めることが出来る。また、例えば、中継装置情報２２２には、中継装置３の持ち主の属性を示す情報を含めることが出来る。ここで、中継装置３の持ち主の属性を示す情報とは、例えば、所定のゲームを利用しているか、何の割引を希望しているか、何のポイントを利用しているか、など、中継装置３のオペレータの好みや望みに応じた情報である。また、例えば、処理機器情報２２３には、データ処理対象となる収集端末４の固有ＩＤを示す情報を含めることが出来る。つまり、処理機器情報２２３は、クラウド５の固有ＩＤと、ＩＰアドレスと、認証情報と、収集端末４の固有ＩＤと、を対応づけても構わない。
【００３１】
演算処理部２３は、ＭＰＵなどのプロセッサとその周辺回路を有する。演算処理部２３は、記憶部２２からプログラム２２４を読み込んで実行することにより、上記ハードウェアとプログラム２２４とを協働させて各種処理部を実現する。演算処理部２３で実現される主な処理部には、例えば、受信部２３１と、接続情報送信部２３２と、候補選択部２３３と、候補指示部２３４（指示部）と、がある。
【００３２】
受信部２３１は、中継装置３が送信した情報を、例えば無線通信基地局を介して受信する。
【００３３】
例えば、受信部２３１は、中継装置３から、収集端末４の固有ＩＤを含む問い合わせを受信する。受信部２３１が中継装置３から問い合わせを受信すると、後述するように、接続情報送信部２３２は、所定の接続情報を、無線通信基地局を介して中継装置３に対して送信する。
【００３４】
また、例えば、受信部２３１は、中継装置３から、中継装置３の位置情報を含むペアリング完了通知や、中継装置３の位置情報を含むペアリング切断通知を受信する。ペアリング完了通知やペアリング切断通知を受信すると、受信部２３１は、受信した通知に基づいて、収集端末情報２２１に含まれる位置情報や中継装置情報２２２に含まれる位置情報を更新する。つまり、受信部２３１は、収集端末情報２２１に含まれる位置情報や中継装置情報２２２に含まれる位置情報を、ペアリング完了通知やペアリング切断通知に含まれる位置情報に更新する。また、受信部２３１がペアリング切断通知を受信した場合、後述するように、候補選択部２３３は、所定の選択処理を開始する。
【００３５】
例えば、以上のように、受信部２３１は、問い合わせ、ペアリング完了通知、ペアリング切断通知、などの各種情報を、無線通信基地局を介して中継装置３から受信する。
【００３６】
接続情報送信部２３２は、受信部２３１が中継装置３から問い合わせを受信した場合に、中継装置３が収集端末４やクラウド５と通信を確立する際に必要となる情報を中継装置３に対して送信する。
【００３７】
例えば、接続情報送信部２３２は、受信部２３１が問い合わせを受信すると、記憶部２２が記憶する収集端末情報２２１を参照する。そして、接続情報送信部２３２は、問い合わせに含まれる収集端末４の固有ＩＤに対応する近距離無線通信接続情報を取得する。また、接続情報送信部２３２は、記憶部２２が記憶する処理機器情報２２３を参照する。そして、接続情報送信部２３２は、問い合わせに含まれる固有ＩＤが示す収集端末４が収集したデータを処理するクラウド５のＩＰアドレス、認証情報を取得する。このように、接続情報送信部２３２は、受信部２３１が受信した問い合わせに応じて、収集端末４やクラウド５と接続する際に必要となる情報を記憶部２２から取得する。その後、接続情報送信部２３２は、取得した情報である近距離無線通信接続情報、クラウド５のＩＰアドレス、認証情報、を含む接続情報を中継装置３に対して送信する。
【００３８】
例えば、以上のように、接続情報送信部２３２は、受信部２３１が受信した問い合わせに応じて、近距離無線通信接続情報、ＩＰアドレス、認証情報、などの収集端末４やクラウド５と通信を確立する際に必要となる情報を含む接続情報を、中継装置３に対して送信する。
【００３９】
候補選択部２３３は、受信部２３１が中継装置３からペアリング切断通知を受信した場合など所定の場合に、収集端末４と通信の確立を行うよう指示する中継装置３を選択する。例えば、候補選択部２３３は、受信部２３１がペアリング切断通知を受信すると、中継装置情報２２２を参照する。そして、候補選択部２３３は、中継装置情報２２２に含まれる位置情報に基づいて、中継装置３の選択処理を開始する。
【００４０】
図６は、候補選択部２３３による選択処理の一例を説明するための図である。図６を参照すると、例えば、候補選択部２３３は、中継装置情報２２２に含まれる位置情報に基づいて、ペアリング切断通知に含まれる位置情報が示す場所（収集端末４の推定位置）から予め定められた第１の範囲内に、ペアリングを切断した中継装置３以外の中継装置３が存在するか否か確認する。そして、第１の範囲内に該当する中継装置３が存在する場合、候補選択部２３３は、第１の範囲内に存在する中継装置３を指示する中継装置３として選択する。例えば、図６の場合、候補選択部２３３は、第１の範囲内に存在する３台の中継装置３を指示する中継装置３として選択する。
【００４１】
一方、第１の範囲内に該当する中継装置３が存在しない場合、候補選択部２３３は、第１の範囲よりも広い第２の範囲内に、ペアリングを切断した中継装置３以外の中継装置３が存在するか否か確認する。そして、第２の範囲内に該当する中継装置３が存在する場合、候補選択部２３３は、第２の範囲内に存在する中継装置３を指示する中継装置３として選択する。例えば、図６のうち第１の範囲内に存在する３台の中継装置３がなかったとすると、候補選択部２３３は、第１の範囲の外側で第２の範囲内に存在する４台の中継装置３を指示する中継装置３として選択する。一方、第２の範囲内に該当する中継装置３が存在しない場合、候補選択部２３３は、接続候補の選択を終了する。
【００４２】
例えば、以上のように、候補選択部２３３は、中継装置情報２２２に含まれる位置情報（中継装置３の位置情報）と、ペアリング切断通知に含まれる位置情報（収集端末４の推定位置）と、に基づいて、指示する中継装置３を選択する。
【００４３】
なお、第１の範囲と第２の範囲とは、予め定められた任意の値で構わない。例えば、第１の範囲は半径１ｋｍであり、第２の範囲は半径５ｋｍである。第１の範囲と第２の範囲の値は、例示した以外であっても構わない。
【００４４】
また、候補選択部２３３は、上述した処理以外を行うよう構成しても構わない。例えば、候補選択部２３３は、各中継装置３に対して、自身の位置を示す位置情報を送信するよう指示することにより中継装置情報２２２を更新したうえで、上記選択処理を行うよう構成しても構わない。また、候補選択部２３３は、第２の範囲による選別を行わずに、第１の範囲内に中継装置３が存在しない場合、全ての中継装置３を指示する中継装置３として選択するよう構成しても構わない。また、候補選択部２３３は、例えば、第１の範囲内に存在する中継装置３に対して候補指示部２３４が所定の指示を行ったにも構わらず、所定時間内に指示した中継装置３から問い合わせを受信しない場合、第２の範囲内に存在する中継装置３を追加的に選択するよう構成しても構わない。このように、候補選択部２３３は、時間の経過に応じて選択する中継装置３の範囲を広げるよう構成しても構わない。
【００４５】
また、候補選択部２３３が選択処理を開始するタイミングは、受信部２３１がペアリング切断通知を受信したタイミングに限定されない。例えば、候補選択部２３３は、収集端末情報２２１に基づいて、前回ペアリングを行ってから予め定められた所定時間経過した場合や、空き容量が予め定められた閾値以下になると推定されるタイミングなどで選択処理を開始するよう構成しても構わない。
【００４６】
候補指示部２３４は、候補選択部２３３が選択した中継装置３に対して、所定の指示を行う。例えば、候補指示部２３４は、指示する中継装置３が第１の範囲内の中継装置３かそれ以外の中継装置３かなどに基づいて、異なる指示を行う。
【００４７】
例えば、候補指示部２３４は、第１の範囲内に存在する中継装置３に対して指示する場合、接続を指示する旨を示す接続指示を中継装置３に対して送信する。接続指示には、例えば、接続を指示する旨、ペアリング切断通知に含まれる位置情報、などが含まれている。一方、第１の範囲外に存在する中継装置３に対して指示する場合（第２の範囲内に存在する中継装置３に対して指示する場合）、候補指示部２３４は、探索のモチベーションを与えるための所定の情報を含む探索指示を中継装置３に対して送信する。探索指示には、例えば、接続を指示する旨、ペアリング切断通知に含まれる位置情報、モチベーションを与えるための所定の情報、などが含まれている。
【００４８】
ここで、探索のモチベーションを与えるための所定の情報とは、例えば、中継装置３にインストールされているゲーム内にレアキャラやレアアイテムを発生させる情報や、金銭的なインセンティブを与える情報、通信料割引や所定のポイントを付与する情報などである。探索のモチベーションを与えるための所定の情報は、例えば、上記のような探索することによる利益を中継装置３に発生させることで、中継装置３のオペレータに収集端末４の探索を促す。つまり、探索のモチベーションを与えるための所定の情報は、探索を促す情報である、ということも出来る。
【００４９】
具体的には、例えば、スマートフォンである中継装置３で稼働する位置情報を用いたソーシャルゲームで実現する場合、上記探索のモチベーションを与えるための所定の情報は、ペアリング切断通知に含まれる位置情報が示す場所にレアアイテムやレアキャラが入手できるイベントなどを実現させるための情報である。また、探索のモチベーションを与えるための所定の情報は、例えば、ペアリング切断通知に含まれる位置情報が示す場所に行くことで生じる、当該位置近傍に位置するお店の割引券などである。もちろん、上記例示した以外の何らかの利益を生じさせる情報であっても構わない。
【００５０】
例えば、以上のように、候補指示部２３４は、第１の範囲内に存在する中継装置３に対して指示する場合、接続指示を行う。一方、第２の範囲内に存在する中継装置３に対して指示する場合、候補指示部２３４は、探索指示を行う。このように、候補指示部２３４は、指示する中継装置３のペアリング切断通知に含まれる位置情報（つまり、収集端末４の推定位置）が示す場所からの離れ具合（例えば、第１の範囲内か否か）に応じた指示を行う。
【００５１】
なお、探索のモチベーションを与えるための所定の情報は、中継装置３にゲームがインストールされているか、中継装置３のオペレータが何の割引を望んでいるか、など、中継装置３の持ち主であるオペレータの属性に応じた情報とすることが出来る。例えば、候補指示部２３４は、中継装置情報２２２に格納されている持ち主の属性を示す情報に基づいて、探索のモチベーションを与えるための所定の情報として何を用いるか決定することが出来る。なお、候補指示部２３４は、複数種類の探索のモチベーションを与えるための所定の情報を送信しても構わない。この場合、例えば、中継装置３のオペレータによりどの情報を採用するか選択可能なよう構成しても構わない。
【００５２】
また、探索のモチベーションを与えるための所定の情報は、例えば、ペアリング切断通知に含まれる位置情報が示す場所からの離れ具合に応じて変化するよう構成しても構わない。例えば、探索のモチベーションを与えるための所定の情報は、ペアリング切断通知に含まれる位置情報が示す場所から離れれば離れるほど、よりレアなキャラやアイテムを発生させる、より大きな金銭的なインセンティブを与える、割引率を大きくする、より大きなポイントを付与する、情報とすることが出来る。このように、探索のモチベーションを与えるための所定の情報も離れ具合に応じて変化するよう構成しても構わない。
【００５３】
以上が、演算処理部２３で実現される主な処理部の一例である。
【００５４】
中継装置３は、収集端末４、管理サーバ２、クラウド５などと通信を行う装置であり、例えば、スマートフォンなどの携帯端末である。中継装置３は、Bluetoothなどの近距離無線通信により収集端末４と通信を行うことが出来る。また、中継装置３は、携帯電話回線を用いた無線通信機能やWi-Fiなどの無線通信機能により、無線通信基地局などを介して、管理サーバ２やクラウド５と通信を行うことが出来る。
【００５５】
本実施形態の場合、中継装置３は、接続指示や探索指示を管理サーバ２から受信する。接続指示や探索指示を受信すると、中継装置３は、中継装置３の予めインストールされている地図情報上やゲーム上などに、接続指示や探索指示に含まれる位置情報が示す場所を表示する。これにより、接続指示や探索指示を受信した中継装置３のオペレータは、接続指示や探索指示に含まれる位置情報が示す場所に容易に近づくことが出来る。
【００５６】
図７は、本実施形態に特徴的な中継装置３の構成の一例を示すブロック図である。図７を参照すると、中継装置３は、位置情報取得部３１と、近距離無線通信部３２と、携帯電話回線通信部３３と、を有している。また、中継装置３は、Ｗｉ−Ｆｉ通信機能、地図表示機能や各種ゲームを実行する機能など、一般的なスマートフォンなどの携帯端末が有する機能を有している。なお、例えば、中継装置３は、記憶装置とＣＰＵなどの演算装置とを有しており、記憶装置が記憶するプログラムを演算装置が実行することで、上記各処理部を実現する。
【００５７】
位置情報取得部３１は、ＧＰＳなどを用いて、中継装置３の位置を示す位置情報を取得する。位置情報取得部３１が取得した位置情報は、携帯電話回線通信部３３を介して、管理サーバ２へと送信される。
【００５８】
近距離無線通信部３２は、アンテナなどを介して、例えば、収集端末４との間で近距離無線通信を行う。例えば、中継装置３の近距離無線通信部３２は、収集端末４から収集端末４の固有ＩＤを受信する。また、近距離無線通信部３２は、管理サーバ２から受信した近距離無線通信接続情報を用いて、収集端末４との間でペアリングを行って、収集端末４と近距離無線通信を行う。また、近距離無線通信部３２は、収集端末４が収集したデータを収集端末４から受信する。
【００５９】
携帯電話回線通信部３３は、アンテナなどを介して、例えば、管理サーバ２やクラウド５と携帯電話回線を用いた無線通信を行う。例えば、中継装置３は、収集端末４から当該収集端末４の固有ＩＤを受信すると、携帯電話回線通信部３３を用いて、管理サーバ２に対して収集端末４の固有ＩＤを含む問い合わせを送信する。また、携帯電話回線通信部３３は、収集端末４との間でペアリングを実行して収集端末４と近距離無線通信を開始した際に、位置情報取得部３１が取得した位置情報を含むペアリング完了通知を管理サーバ２に対して送信する。また、携帯電話回線通信部３３は、収集端末４との間のペアリングが切断された際に、位置情報取得部３１が取得した位置情報を含むペアリング切断通知を管理サーバ２に対して送信する。
【００６０】
また、中継装置３の携帯電話回線通信部３３は、管理サーバ２から接続情報を受信すると、受信した接続情報に含まれるクラウド５のＩＰアドレス、認証情報を用いて、クラウド５との通信を確立する。また、携帯電話回線通信部３３は、収集端末４から当該収集端末４が取得したデータを受信すると、クラウド５に対して収集端末４から受信したデータを送信する。
【００６１】
以上のように、中継装置３は、当該中継装置３の位置情報を含む情報を管理サーバ２へと送信するとともに、収集端末４が収集したデータをクラウド５へと送信する際の中継を行う。
【００６２】
収集端末４は、当該収集端末４を保持するオペレータのデータ（例えば、脈拍、血圧、酸素飽和度などの収集端末４を保持するオペレータの身体に関するデータ）を収集する端末装置である。収集端末４は、例えば、スマートウォッチなどの身体に装着される情報処理装置である。
【００６３】
本実施形態における収集端末４は、例えば、消費電力の抑制などを目的として、携帯電話回線を用いた無線通信機能やWi-Fiなどの無線通信機能を有していない。また、収集端末４は、ＧＰＳなどを有しておらず、自身の位置を示す情報を取得する手段を有していない。
【００６４】
図８は、本実施形態に特徴的な収集端末４の構成の一例を示すブロック図である。図８を参照すると、収集端末４は、例えば、近距離無線通信部４１と、収集手段４２と、秘密分散部４３と、記憶部４４とを有している。例えば、収集端末４は記憶装置とＣＰＵなどの演算装置とを有しており、記憶装置が記憶するプログラムを演算装置が実行することで、上記各処理部を実現する。また、記憶部４４には、収集手段４２が収集したデータである収集データが格納される。
【００６５】
近距離無線通信部４１は、アンテナなどを介して、例えば、中継装置３との間で近距離無線通信を行う。例えば、収集端末４の近距離無線通信部４１は、接続可能な収集端末４を探している中継装置３などに対して、自身の固有ＩＤを送信する。また、収集端末４の近距離無線通信部４１は、中継装置３との間でペアリングを実行して中継装置３と近距離無線通信を行う。また、収集端末４の近距離無線通信部４１は、ペアリング実行中の中継装置３に対して、収集手段４２が収集したデータ（記憶部４４に格納されたデータ）を送信する。
【００６６】
収集手段４２は、センサなどを用いて、脈拍、血圧、酸素飽和度などの収集端末４を保持するオペレータの身体に関するデータを取得する。そして、収集手段４２は、取得したデータを収集データとして記憶部４４に格納する。
【００６７】
秘密分散部４３は、収集手段４２が取得したデータを秘密分散する。本実施形態においては、秘密分散部４３の処理については限定しない。秘密分散部４３は、既知の技術を用いて秘密分散を行う。収集端末４の近距離無線通信部４１は、ペアリング実行中の中継装置３に対して、収集手段４２が収集したデータ（記憶部４４に格納されたデータ）を秘密分散部４３が秘密分散した結果を送信することになる。
【００６８】
記憶部４４は、メモリなどの記憶装置である。記憶部４４には、収集手段４２が取得したデータである収集データが格納される。
【００６９】
以上のように、収集端末４は、収集手段４２を用いて所定のデータを収集するとともに、近距離無線通信部４１を用いて収集したデータをペアリング実行中の中継装置３に対して送信する。
【００７０】
クラウド５は、中継装置３から受信したデータを処理する。また、クラウド５は、処理した結果に応じた情報を、中継装置３を介して収集端末４に送信することが出来る。本実施形態においては、クラウド５の構成については特に限定しない。
【００７１】
以上が、通信システム１が有する管理サーバ２、中継装置３、収集端末４、クラウド５の構成の一例である。
【００７２】
続いて、図９から図１２までを参照して、通信システム１の動作の一例について説明する。図９は、通信システム１における処理の一例を説明するための図である。図１０は、通信システム１においてペアリングが切断された際の処理の一例を説明するための図である。図１１、図１２は、通信システム１の動作の一例を示すシーケンス図である。
【００７３】
まず、図９、図１１を参照して、収集端末４が収集したデータを、中継装置３を介してクラウド５まで送信する際の通信システム１の動作の一例について説明する。図１１を参照すると、中継装置３は、通信待ち状態の収集端末４を発見する（ステップＳ１０１、図９の１）。すると、中継装置３は、収集端末４から当該収集端末４の固有ＩＤを受信する。
【００７４】
中継装置３は、管理サーバ２に対して、収集端末４の固有ＩＤを含む問い合わせを送信する（ステップＳ１０２、図９の２）。
【００７５】
管理サーバ２の受信部２３１は、中継装置３から収集端末４の固有ＩＤを含む問い合わせを受信する。すると、接続情報送信部２３２は、記憶部２２を参照して、問い合わせに含まれる固有ＩＤに対応する近距離無線通信接続情報と、クラウド５のＩＰアドレスと、認証情報と、を取得する。そして、接続情報送信部２３２は、取得した情報である近距離無線通信接続情報、クラウド５のＩＰアドレス、認証情報、を含む接続情報を中継装置３に対して送信する（ステップＳ２０１、図９の３）。
【００７６】
中継装置３は、管理サーバ２から受信した接続情報に含まれる近距離無線通信接続情報を用いて、収集端末４との間でペアリングを行う。これにより、中継装置３と収集端末4との間でペアリングが成立する（ステップＳ１０３、３０１、図９の４）。
【００７７】
中継装置３は、ペアリングが成立した旨を示すペアリング完了通知を管理サーバ２に対して送信する（ステップＳ１０４、図９の５）。なお、中継装置３が送信するペアリング完了通知には、中継装置３の位置情報が少なくとも含まれている。
【００７８】
収集端末４は、中継装置３に対して、当該収集端末４が取得したデータを送信する（ステップＳ３０２、図９の６）。収集端末４と中継装置３との間の通信は、近距離無線通信を用いて行われる。
【００７９】
中継装置３は、管理サーバ２から受信した接続情報に含まれるクラウド５のＩＰアドレス、認証情報を用いて、クラウド５と通信を確立する。そして、中継装置３は、クラウド5に対して、収集端末４から受信したデータを送信する（ステップＳ１０５、図９の７）。その後、クラウド５から所定の情報の送信などを行うことが出来る。
【００８０】
以上が、収集端末４と中継装置３との間でペアリングを行って、収集端末４が収集したデータを、中継装置３を介してクラウド５まで送信する際の通信システム１の動作の一例である。
【００８１】
続いて、図１０、図１２を参照して、ペアリングが切断した際の通信システム１の動作の一例について説明する。図１２を参照すると、収集端末４と中継装置３との間のペアリングが切断する（ステップＳ３１１、１１１、図１０のＡ）。これにより、収集端末４と中継装置３との間で無線通信が行われなくなる。
【００８２】
中継装置３は、ペアリングが切断した旨を示すペアリング切断通知を管理サーバ２に対して送信する（ステップＳ１１２、図１０のＢ）。なお、中継装置３が送信するペアリング切断通知には、中継装置３の位置情報が少なくとも含まれている。
【００８３】
管理サーバ２の受信部２３１は、中継装置３からペアリング切断通知を受信する。すると、管理サーバ２の受信部２３１は、受信した通知に基づいて、収集端末情報２２１に含まれる位置情報や中継装置情報２２２に含まれる位置情報を更新する（ステップＳ２１１）。つまり、受信部２３１は、収集端末情報２２１に含まれる位置情報や中継装置情報２２２に含まれる位置情報を、ペアリング切断通知に含まれる位置情報に更新する。
【００８４】
候補選択部２３３は、中継装置情報２２２に含まれる位置情報に基づいて、中継装置３の選択処理を開始する。例えば、候補選択部２３３は、中継装置情報２２２に含まれる位置情報に基づいて、ペアリング切断通知に含まれる位置情報が示す場所から予め定められた第１の範囲内に、ペアリングを切断した中継装置３以外の中継装置３が存在するか否か確認する（ステップＳ２１２）。そして、第１の範囲内に該当する中継装置３が存在する場合、候補選択部２３３は、第１の範囲内に存在する中継装置３を指示する中継装置３として選択する（ステップＳ２１２、ＹＥＳ）。そして、候補指示部２３４は、第１の範囲内に存在する中継装置３に対して、接続指示を送信する（ステップＳ２１３、図１０のＣ）。接続指示には、例えば、接続を指示する旨、ペアリング切断通知に含まれる位置情報、などが含まれている。
【００８５】
一方、第１の範囲内に該当する中継装置３が存在しない場合（ステップＳ２１２、ＮＯ）、候補選択部２３３は、第１の範囲よりも広い第２の範囲内に、ペアリングを切断した中継装置３以外の中継装置３が存在するか否か確認する（ステップＳ２１４）。そして、第２の範囲内に該当する中継装置３が存在する場合（ステップＳ２１４、ＹＥＳ）、候補選択部２３３は、第２の範囲内に存在する中継装置３を指示する中継装置３として選択する。そして、候補指示部２３４は、第２の範囲内に存在する中継装置３に対して、探索指示を送信する（ステップＳ２１５、図１０のＣ）。探索指示には、例えば、接続を指示する旨、ペアリング切断通知に含まれる位置情報、モチベーションを与えるための所定の情報、などが含まれている。一方、第２の範囲内に該当する中継装置３が存在しない場合（ステップＳ２１４、ＮＯ）、候補選択部２３３は、接続候補の選択を終了する。
【００８６】
上述した接続指示または探索指示を受けて、中継装置３のオペレータは、収集端末４を探索する。その結果、中継装置３は、通信待ち状態の収集端末４を発見する（ステップＳ１１３、図１０のＤ）。以降の処理は、図９、図１１を参照して既に説明したものと同様であるため、省略する。
【００８７】
このように、管理サーバ２は、候補選択部２３３と、候補指示部２３４と、を有している。また、管理サーバ２は、中継装置３と収集端末４との間のペアリングが切断した際に、中継装置３からペアリング切断通知を受信する。このような構成により、管理サーバ２の候補選択部２３３は、中継装置３と収集端末４との間のペアリングが切断した際に、次に収集端末４と通信を確立する候補となる中継装置３を選択することが出来る。また、候補指示部２３４は、候補選択部２３３が選択した中継装置３に対して、接続指示や探索指示を送信することが出来る。その結果、管理サーバ２は、中継装置３に対して、収集端末４との間の通信の確立を促すことが可能となる。これにより、例えば、収集端末４のオペレータが中継装置３を有していない場合や、収集端末４のオペレータが有する中継装置３が故障した場合などにおいても、収集端末４とクラウド５との間で通信が確立する可能性を高めることが可能となり、出来る限り接続することが出来る。また、管理サーバ２は、想定される収集端末４の位置と指示する中継装置３の位置に応じて、接続情報と探索情報を使い分ける。このような構成により、収集端末４の近傍に中継装置３がない場合により効果的に収集端末４と通信を確立するよう中継装置３に対して促すことが可能となる。
【００８８】
また、管理サーバ２は、中継装置３から受信した問い合わせに応じて、近距離無線通信接続情報、クラウド５のＩＰアドレス、認証情報、を含む接続情報を送信するよう構成されている。このような構成により、中継装置３は、余計な手間をかけることなく、収集端末４やクラウド５と通信を確立することが出来る。
【００８９】
なお、本実施形態においては、通信システム１が収集端末４を有する場合について例示した。収集端末４は、例えば、スマートウォッチなどの身体に装着される情報処理装置ではなく、道路やトンネルなどの所定箇所に予め設置され、設置された場所のデータを取得するＩＯＴ機器であっても構わない。
【００９０】
また、通信システム１は、収集端末４の代わりに、収集端末４を保持するオペレータのデータを収集しない端末装置を有しても構わない。通信システム１がデータを収集する機能を有さない場合、通信システム１は、クラウド５を有さなくても構わない。このような構成を有する通信システム１は、例えば、遊園地内の迷子を早期発見するシステムなどに適用することが出来る。例えば、子供に持たせた端末装置と、親が有する中継装置３とをペアリングする。そして、親子が離れてペアリングが切断した際には、付近に存在する中継装置３を有する大人に対して接続指示や探索指示を送信することで、付近に存在する大人に対して迷子の発見を依頼することが出来る。
【００９１】
［第２の実施形態］
次に、本発明の第２の実施形態について図１３を参照して説明する。
【００９２】
図１３は、管理装置６０の構成の一例を示している。図１３を参照すると、管理装置６０は、指示部６１を有している。例えば、管理装置６０は、記憶装置とＣＰＵなどの演算装置とを有しており、記憶装置が記憶するプログラムを演算装置が実行することで、上記処理部を実現する。
【００９３】
指示部６１は、端末装置との通信の確立を指示する指示情報を中継装置に対して送信する。例えば、指示部６１は、指示する中継装置の端末装置の推定位置からの離れ具合に応じた指示情報を送信する。
【００９４】
このように、管理装置６０は、指示部６１を有している。このような構成により、管理装置６０の指示部６１は、端末装置との通信の確立を指示する指示情報を中継装置に対して送信することで、収集端末との間の通信の確立を促すことが可能となる。また、指示部６１は、指示する中継装置の端末装置の推定位置からの離れ具合に応じた指示情報を送信する。これにより、より効果的に収集端末４と通信を確立するよう中継装置３に対して促すことが可能となる。
【００９５】
また、上述した管理装置６０は、当該管理装置６０に所定のプログラムが組み込まれることで実現できる。具体的に、本発明の他の形態であるプログラムは、管理装置６０に端末装置との通信の確立を指示する指示情報を中継装置に対して送信する指示部６１を実現させ、指示部６１は、指示する中継装置の端末装置の推定位置からの離れ具合に応じた指示情報を送信するプログラムである。
【００９６】
また、上述した管理装置６０により実行される管理方法は、管理装置が、予め定められた所定の条件を満たす場合、端末装置との通信の確立を指示し、指示する中継装置の端末装置の推定位置からの離れ具合に応じた情報である指示情報を、中継装置に対して送信する、という方法である。
【００９７】
上述した構成を有する、プログラム、又は、管理方法、の発明であっても、上記管理装置６０と同様の効果・作用を有するために、上述した本発明の目的を達成することが出来る。
【００９８】
＜付記＞
上記実施形態の一部又は全部は、以下の付記のようにも記載されうる。以下、本発明における通信スループット推定装置などの概略を説明する。但し、本発明は、以下の構成に限定されない。
【００９９】
（付記１）
端末装置との通信の確立を指示する指示情報を中継装置に対して送信する指示部を有し、
前記指示部は、指示する前記中継装置の前記端末装置の推定位置からの離れ具合に応じた前記指示情報を送信する
管理装置。
（付記２）
付記１に記載の管理装置であって、
前記指示部は、前記端末装置の推定位置から予め定められた所定の範囲の外側に位置する前記中継装置に対して指示する場合、前記端末装置の探索を促す所定の情報を含む前記指示情報を送信する
管理装置。
（付記３）
付記１または付記２に記載の管理装置であって、
前記指示部は、前記端末装置の推定位置から予め定められた第１の範囲内に存在する前記中継装置に対して指示する場合、接続を指示する旨を示す接続指示を前記指示情報として前記中継装置に対して送信し、前記第１の範囲外であって予め定められた第２の範囲内に存在する前記中継装置に対して指示する場合、前記端末装置の探索を促す所定の情報を含む探索指示を前記指示情報として前記中継装置に対して送信する
管理装置。
（付記４）
付記２または付記３に記載の管理装置であって、
前記端末装置と通信を確立することにより得られる情報は、前記中継装置の持ち主の属性に応じた、前記端末装置の探索を促す情報である
管理装置。
（付記５）
付記１から付記４までのいずれか１項に記載の管理装置であって、
前記中継装置の位置を示す位置情報と、前記端末装置の推定位置と、に基づいて、指示する前記中継装置を選択する選択部を有し、
前記指示部は、前記選択部が選択した前記中継装置に対して前記指示情報を送信する
管理装置。
（付記６）
付記５に記載の管理装置であって、
前記選択部は、前記端末装置の推定位置から予め定められた第１の範囲内に前記中継装置が存在する場合、当該第１の範囲内に存在する前記中継装置を指示する前記中継装置として選択し、前記第１の範囲内に前記中継装置が存在しない場合、前記第１の範囲外であって予め定められた第２の範囲内に存在する前記中継装置を指示する前記中継装置として選択する
管理装置。
（付記７）
付記１から付記６までのいずれか１項に記載の管理装置であって、
前記指示部は、前記中継装置から前記端末装置との間の通信が切断した旨を示す情報を受信した場合に、前記指示情報を所定の前記中継装置に対して送信する
管理装置。
（付記８）
付記７に記載の管理装置であって、
前記端末装置との間の通信が切断した旨を示す情報には、前記中継装置の位置を示す位置情報が含まれており、
前記指示部は、前記端末装置の推定位置として、前記位置情報が示す位置を用いる
管理装置。
（付記９）
付記１から付記８までのいずれか１項に記載の管理装置であって、
前記中継装置から受信した問い合わせに応じて、前記中継装置が通信を確立しようとしている前記端末装置と前記中継装置とが通信を確立する際に必要となる情報である接続情報を送信する送信部を有する
管理装置。
（付記１０）
付記９に記載の管理装置であって、
前記送信部は、前記端末装置が収集したデータの送信先である処理装置と通信を確立するための必要となる情報を前記接続情報に含めて前記中継装置に対して送信する
管理装置。
（付記１１）
管理装置が、
予め定められた所定の条件を満たす場合、端末装置との通信の確立を指示し、指示する中継装置の前記端末装置の推定位置からの離れ具合に応じた情報である指示情報を、前記中継装置に対して送信する
管理方法。
（付記１２）
管理装置に、
端末装置との通信の確立を指示する指示情報を中継装置に対して送信する指示部を実現させ、
前記指示部は、指示する前記中継装置の前記端末装置の推定位置からの離れ具合に応じた前記指示情報を送信する
プログラム。
【０１００】
なお、上記各実施形態及び付記において記載したプログラムは、記憶装置に記憶されていたり、コンピュータが読み取り可能な記録媒体に記録されていたりする。例えば、記録媒体は、フレキシブルディスク、光ディスク、光磁気ディスク、及び、半導体メモリ等の可搬性を有する媒体である。
【０１０１】
以上、上記各実施形態を参照して本願発明を説明したが、本願発明は、上述した実施形態に限定されるものではない。本願発明の構成や詳細には、本願発明の範囲内で当業者が理解しうる様々な変更をすることが出来る。
【符号の説明】
【０１０２】
１  通信システム
２  管理サーバ
２１  通信Ｉ／Ｆ部
２２  記憶部
２２１  収集端末情報
２２２  中継装置情報
２２３  処理機器情報
２２４  プログラム
２３  演算処理部
２３１  受信部
２３２  接続情報送信部
２３３  候補選択部
２３４  候補指示部
３  中継装置
３１  位置情報取得部
３２  近距離無線通信部
３３  携帯電話回線通信部
４  収集端末
４１  近距離無線通信部
４２  収集手段
４３  秘密分散部
４４  記憶部
５  クラウド
６０  管理装置
６１  指示部
【図１】
2020088463.tif 000003
【図２】
2020088463.tif 000004
【図３】
2020088463.tif 000005
【図４】
2020088463.tif 000006
【図５】
2020088463.tif 000007
【図６】
2020088463.tif 000008
【図７】
2020088463.tif 000009
【図８】
2020088463.tif 000010
【図９】
2020088463.tif 000011
【図１０】
2020088463.tif 000012
【図１１】
2020088463.tif 000013
【図１２】
2020088463.tif 000014
【図１３】
2020088463.tif 000015